(57)【特許請求の範囲】
【請求項１】
被切断材を載置可能な被切断材載置面を備えたベースと、
前記ベースに固定され前記被切断材が当接する当接面を有するフェンスと、
丸鋸刃を回転可能に支持する丸鋸部と、
前記丸鋸刃の軸方向とほぼ平行な揺動軸を支点として前記丸鋸部を揺動可能に支持する支持部材と、
前記支持部材と連結され、前記ベースと共に前記被切断材を支持可能であり、回転支点を中心として前記ベースに対して回転可能であり、前記ベースに対して回転することにより前記フェンスの前記当接面に対する前記丸鋸刃側面の角度を変更可能なターンテーブルと、
前記ベースに対する前記ターンテーブルの回転の角度たる回動角度を検出し前記回動角度の信号を出力する回動角度検出手段と、
前記回動角度検出手段と別体で構成され前記回動角度をデジタル表示するデジタル表示手段と、
前記回動角度検出手段の出力信号に基づいて前記デジタル表示手段に回動表示角度の信号を出力する制御手段とを有する卓上丸鋸において、
前記ターンテーブルは外方に突出する首部と、首部から更に外方に設けられたハンドル部とを有し、
前記デジタル表示手段は前記ハンドル部と前記ターンテーブルの前記回転支点との間に位置するよう、前記首部に設けられると共に、前記被切断材載置面よりも下方に配置されることを特徴とする卓上丸鋸。
【請求項２】
前記支持部材は、前記ベース上面を含む平面上に前記ベース上面に平行に配置され前記ターンテーブルに連結された傾動回転支点を傾動の軸心として、前記ターンテーブルを介して前記ベースに連結され、前記傾動回転支点を支点として前記ベース上面に対する前記丸鋸刃側面の角度たる傾動角度を変更可能であることを特徴とする請求項１記載の卓上丸鋸。
【請求項３】
前記回転支点は、前記ターンテーブルと一体回転可能な回転軸であるか、又は前記ベースに固定された回転軸であり、
前記回動角度検出手段は、前記回転支点が前記ターンテーブルと一体回転可能な回転軸であるときには、前記ベースに対する前記回転軸の回転量を検出し、前記回転支点が前記ベースに固定された回転軸のときには、前記回転軸に対する前記ターンテーブルの回転量を検出することを特徴とする請求項１又は請求項２記載の卓上丸鋸。
【請求項４】
前記傾動角度を検出し前記傾動角度の信号を出力する傾動角度検出手段を備え、前記制御手段は前記傾動角度検出手段の出力信号に基づいて前記デジタル表示手段に傾動表示角度を表示させることを特徴とする請求項２又は請求項３記載の卓上丸鋸。
【請求項５】
前記デジタル表示手段は、前記傾動表示角度及び前記回動表示角度を１列に表示可能なデジタル表示面を有していることを特徴とする請求項４記載の卓上丸鋸。
【請求項６】
前記デジタル表示手段はユニット構成であり、前記デジタル表示面に表示されている２つの数値のうちの一方は前記傾動角度、他方は前記回動角度であることが分かるように、前記デジタル表示面近傍の外枠の前記傾動表示角度部分に対応する箇所、前記デジタル表示面近傍の外枠の前記回動角度部分に対応する箇所に、それぞれ傾斜マーク、回動マークが記載されていることを特徴とする請求項５記載の卓上丸鋸。
【請求項７】
前記デジタル表示手段は、前記デジタル表示面を覆う着脱可能な透明カバーを有し、
前記透明カバーは前記ベースの前記被切断材載置面よりも上方に突出せずに前記被切断材載置面よりも下方に位置していることを特徴とする請求項５又は請求項６記載の卓上丸鋸。
【請求項８】
前記デジタル表示手段は、デジタル表示面と前記デジタル表示面を覆う着脱可能な透明カバーとを有し、
前記透明カバーは前記ベースの前記被切断材載置面よりも上方に突出せずに前記被切断材載置面よりも下方に位置していることを特徴とする請求項１乃至請求項４のいずれか一記載の卓上丸鋸。
【請求項９】
前記デジタル表示手段は、前記被切断材が載置される前半分と前記被切断材が載置されない後半分とに前記回転支点を境として前記ベースを分けたときに前記ベースの前記前半分の所定位置に相当する前記ターンテーブルの位置に配置されていることを特徴とする請求項１乃至請求項８のいずれか一記載の卓上丸鋸。
【請求項１０】
前記デジタル表示手段は、被切断材が当接する前記当接面を含む前半分と前記当接面を含まない後半分とに前記フェンスを境として前記ベースを分けたときに前記ベースの前記前半分の所定位置に相当する前記ターンテーブルの位置に配置されていることを特徴とする請求項１乃至請求項８のいずれか一記載の卓上丸鋸。
【請求項１１】
前記デジタル表示手段はデジタル表示面を備え、前記デジタル表示面は鉛直方向に対して傾斜して設けられ、前記デジタル表示面の法線は略前記ベースの前記後半分から前記前半分へ向う方向であって上方へ指向していることを特徴とする請求項９又は請求項１０記載の卓上丸鋸。
【請求項１２】
被切断材を載置可能な被切断材載置面を備えたベースと、
丸鋸刃を回転可能に支持する丸鋸部と、
前記丸鋸刃の軸方向とほぼ平行な揺動軸を支点として前記丸鋸部を揺動可能に支持し、前記ベース上面に対する前記丸鋸刃側面の角度たる傾動角度を変更可能に前記ベースに連結された支持部材と、
前記支持部材と連結され、前記ベースと共に前記被切断材を支持可能なターンテーブルと、
前記傾動角度を検出し前記傾動角度の信号を出力する傾動角度検出手段と、
前記傾動角度検出手段と別体で構成され前記傾動角度をデジタル表示するためのデジタル表示手段と、
前記傾動角度検出手段の出力信号に基づいて前記デジタル表示手段に傾動表示角度の信号を出力する制御手段とを有する卓上丸鋸において、
前記ターンテーブルは外方に突出する首部と、前記首部から更に外方に設けられたハンドル部とを有し、
前記デジタル表示手段は前記ハンドル部と前記ターンテーブルの前記回転支点との間に位置するよう、前記首部に設けられると共に、前記被切断材載置面よりも下方に配置されることを特徴とする卓上丸鋸。
【請求項１３】
前記傾動角度検出手段は、前記支持部材に固定された回転軸の前記ベースに対する回転量を検出するか、又は、前記支持部材に対して回転可能に保持された回転軸の前記支持部材に対する回転量を検出することを特徴とする請求項１２記載の卓上丸鋸。
【請求項１４】
前記ベースと共に前記被切断材を支持し回転支点を中心として前記ベースに対して回転可能なターンテーブルを備え、
前記支持部材は、前記ベース上面を含む平面上に前記ベース上面に平行に配置され前記ターンテーブルに連結された傾動回転支点を傾動の軸心として前記ターンテーブルを介して前記ベースに連結され、前記傾動回転支点を支点として前記ベースに対して傾動可能であることを特徴とする請求項１２又は請求項１３記載の卓上丸鋸。
【請求項１５】
前記デジタル表示手段は、前記被切断材が載置される前半分と前記被切断材が載置されない後半分とに前記回転支点を境として前記ベースを分けたときに前記ベースの前記前半分の所定位置に相当する前記ターンテーブルの位置に配置されていることを特徴とする請求項１４記載の卓上丸鋸。
【請求項１６】
前記デジタル表示手段はデジタル表示面を備え、前記デジタル表示面は鉛直方向に対して傾斜して設けられ、前記デジタル表示面の法線は、略前記ベースの前記後半分から前記前半分へ向う方向であって上方へ指向していることを特徴とする請求項１５記載の卓上丸鋸。
【発明の詳細な説明】
【技術分野】
【０００１】
本発明は卓上切断機に関し、特に、ベースに対する丸鋸刃側面の角度、あるいはベースに固定されたフェンスの当接面に対する丸鋸刃側面の角度を表示する卓上丸鋸に関する。
【背景技術】
【０００２】
従来の卓上丸鋸は、被切断材を載置可能なベースと、丸鋸刃を回転可能に支持する丸鋸部と、丸鋸部を丸鋸刃の軸方向とほぼ平行な揺動軸を支点として揺動可能に支持する支持部材とを有し、ベース上面に対する丸鋸刃側面の角度を変更可能なように支持部材がベースと連結された構成をしている。
【０００３】
また、ベースと共に被切断材を支持するターンテーブルを設けた構成の卓上丸鋸が知られている。この構成の卓上丸鋸においては、ベース上面に対する丸鋸刃側面の角度を変更可能なようにターンテーブルと支持部材とが連結された構成をしている。
【０００４】
また、ターンテーブルを備え、ベースに固定されたフェンスの当接面に対して丸鋸刃側面の角度を変更可能な卓上丸鋸が知られている。この構成の卓上丸鋸ではターンテーブルは、ベースと共に被切断材を支持可能であり、ベース上面にほぼ直交する回転支点を有しており、該回転支点を支点としてベースに対して回転可能である。丸鋸部を揺動可能に支持する支持部はターンテーブルに連結されている。
【０００５】
卓上丸鋸においては、ベース上面に対する丸鋸刃側面の角度を所定角度に調整することによりベース上面に対向する被切断材の下面に対して当該所定角度で傾斜した傾斜切りを行なう際や、フェンスの当接面に対する丸鋸刃側面の角度を所定角度に調整することによりフェンスの当接面に対向する被切断材の側面に対して当該所定角度で傾斜した角度切りを行なう際には、当該所定角度に調整するための目盛り部が卓上丸鋸に設けられていた。目盛り部は、支持部材とベースとに、あるいは支持部材とターンテーブルとにいう具合に一対に設けられ、傾斜量、回動量をそれぞれ指し示すように構成されている。この目盛り部を、作業者が視認することにより傾斜角度（傾動角度）、回動角度の調整が行われていた。
【０００６】
従って、この種の卓上丸鋸では、目盛り部を視認することで傾斜角度、回動角度を把握するため、瞬時に現在の傾斜角度、回動角度を把握することができない。また、支持部材、ベース、ターンテーブルの表面のスペースの都合上、より多くの角度値を目盛り部に記入することはできず、記入された角度値以外の角度については、傾斜角度、回動角度の把握により時間がかかり、作業性の低下を招いていた。
【０００７】
特許文献１には、ベースに対する丸鋸の回転面の角度を検出する検出手段と、該検出手段により検出された角度をデジタル表示する表示手段を備えた卓上丸鋸が開示されている。この卓上丸鋸では、丸鋸刃は傾動部材により支持されており、傾動部材はターンテーブルの後端位置に設けられた支持部材に対して傾動可能である。支持部材にはデジタル表示をする表示装置が設けられており、表示部に設けられた検出部は、傾動部材の傾動に伴い回転する検出軸の回転角を検出することにより丸鋸刃の傾斜角度を検出する。
【特許文献１】特開２０００−２５４８１７号公報
【発明の開示】
【発明が解決しようとする課題】
【０００８】
上記の従来の卓上丸鋸では、ターンテーブルの後端位置に設けられた支持部材に表示装置が設けられているため、表示装置は作業者側から離れた位置にあり、表示装置をのぞき込まなければ角度数値を視認することができず、視認しにくいという欠点があった。また、支持部材が設けられている位置は、被切断材の切断時の切粉排出側の位置であり、切粉が表示装置上面にかかり角度数値を更に見難くしてしまうという欠点があった。更にベース上に被切断材を載置した際には、被切断材によって更に表示装置が見難くなっていた。
【０００９】
また、暗い作業場では表示装置の数値が見にくいなど視認性が低下していた。また、同公報の記載によれば、傾斜角度を表示する表示装置と回動角度を表示する表示装置とを別個に設ける構成であるため、瞬時に現在の傾斜角度と回動角度との両方を把握することができず、作業性の低下を招いていた。
【００１０】
そこで本発明は、上記した従来技術の欠点を解消し、角度視認の低下を招かず作業性の良い卓上丸鋸を提供することを目的とする。
【課題を解決するための手段】
【００１１】
上記目的を達成するために、本発明は、被切断材を載置可能な被切断材載置面を備えたベースと、前記ベースに固定され前記被切断材が当接する当接面を有するフェンスと、丸鋸刃を回転可能に支持する丸鋸部と、前記丸鋸刃の軸方向とほぼ平行な揺動軸を支点として前記丸鋸部を揺動可能に支持する支持部材と、前記支持部材と連結され、前記ベースと共に前記被切断材を支持可能であり、回転支点を中心として前記ベースに対して回転可能であり、前記ベースに対して回転することにより前記フェンスの前記当接面に対する前記丸鋸刃側面の角度を変更可能なターンテーブルと、前記ベースに対する前記ターンテーブルの回転の角度たる回動角度を検出し前記回動角度の信号を出力する回動角度検出手段と、前記回動角度検出手段と別体で構成され前記回動角度をデジタル表示するデジタル表示手段と、前記回動角度検出手段の出力信号に基づいて前記デジタル表示手段に回動表示角度の信号を出力する制御手段とを有する卓上丸鋸において、前記ターンテーブルは外方に突出する首部と、前記首部から更に外方に設けられたハンドル部とを有し、前記デジタル表示手段は前記ハンドル部と前記ターンテーブルの前記回転支点との間に位置するよう、前記首部に設けられると共に、前記被切断材載置面よりも下方に配置される卓上丸鋸を提供している。
【００１２】
ここで、前記支持部材は、前記ベース上面を含む平面上に前記ベース上面に平行に配置され前記ターンテーブルに連結された傾動回転支点を傾動の軸心として、前記ターンテーブルを介して前記ベースに連結され、前記傾動回転支点を支点として前記ベース上面に対する前記丸鋸刃側面の角度たる傾動角度を変更可能であることが好ましい。
【００１３】
また、前記回転支点は、前記ターンテーブルと一体回転可能な回転軸であるか、又は前記ベースに固定された回転軸であり、前記回動角度検出手段は、前記回転支点が前記ターンテーブルと一体回転可能な回転軸であるときには、前記ベースに対する前記回転軸の回転量を検出し、前記回転支点が前記ベースに固定された回転軸のときには、前記回転軸に対する前記ターンテーブルの回転量を検出することが好ましい。
【００１６】
また、前記傾動角度を検出し前記傾動角度の信号を出力する傾動角度検出手段を備え、前記制御手段は前記傾動角度検出手段の出力信号に基づいて前記デジタル表示手段に傾動表示角度を表示させることが好ましい。
【００１７】
また、前記デジタル表示手段は、前記傾動表示角度及び前記回動表示角度を１列に表示可能なデジタル表示面を有していることが好ましい。
【００１８】
また、前記デジタル表示手段はユニット構成であり、前記デジタル表示面に表示されている２つの数値のうちの一方は前記傾動角度、他方は前記回動角度であることが分かるように、前記デジタル表示面近傍の外枠の前記傾動表示角度部分に対応する箇所、前記デジタル表示面近傍の外枠の前記回動角度部分に対応する箇所に、それぞれ傾斜マーク、回動マークが記載されていることが好ましい。
【００１９】
また、前記デジタル表示手段は、前記デジタル表示面を覆う着脱可能な透明カバーを有し、前記透明カバーは前記ベースの前記被切断材載置面よりも上方に突出せずに前記被切断材載置面よりも下方に位置していることが好ましい。
【００２０】
また、前記デジタル表示手段は、デジタル表示面と前記デジタル表示面を覆う着脱可能な透明カバーとを有し、
前記透明カバーは前記ベースの前記被切断材載置面よりも上方に突出せずに前記被切断材載置面よりも下方に位置していることが好ましい。
【００２１】
また、前記デジタル表示手段は、前記被切断材が載置される前半分と前記被切断材が載置されない後半分とに前記回転支点を境として前記ベースを分けたときに前記ベースの前記前半分の所定位置に相当する前記ターンテーブルの位置に配置されていることが好ましい。
【００２２】
また、前記デジタル表示手段は、被切断材が当接する前記当接面を含む前半分と前記当接面を含まない後半分とに前記フェンスを境として前記ベースを分けたときに前記ベースの前記前半分の所定位置に相当する前記ターンテーブルの位置に配置されていることが好ましい。
【００２３】
また、前記デジタル表示手段はデジタル表示面を備え、前記デジタル表示面は鉛直方向に対して傾斜して設けられ、前記デジタル表示面の法線は略前記ベースの前記後半分から前記前半分へ向う方向であって上方へ指向していることが好ましい。
【００２４】
また、本発明は、被切断材を載置可能な被切断材載置面を備えたベースと、丸鋸刃を回転可能に支持する丸鋸部と、前記丸鋸刃の軸方向とほぼ平行な揺動軸を支点として前記丸鋸部を揺動可能に支持し、前記ベース上面に対する前記丸鋸刃側面の角度たる傾動角度を変更可能に前記ベースに連結された支持部材と、前記支持部材と連結され、前記ベースと共に前記被切断材を支持可能なターンテーブルと、前記傾動角度を検出し前記傾動角度の信号を出力する傾動角度検出手段と、前記傾動角度検出手段と別体で構成され前記傾動角度をデジタル表示するためのデジタル表示手段と、前記傾動角度検出手段の出力信号に基づいて前記デジタル表示手段に傾動表示角度の信号を出力する制御手段とを有する卓上丸鋸において、前記ターンテーブルは外方に突出する首部と、前記首部から更に外方に設けられたハンドル部とを有し、前記デジタル表示手段は前記ハンドル部と前記ターンテーブルの前記回転支点との間に位置するよう、前記首部に設けられると共に、前記被切断材載置面よりも下方に配置される卓上丸鋸を提供している。
【００２５】
ここで、前記傾動角度検出手段は、前記支持部材に固定された回転軸の前記ベースに対する回転量を検出するか、又は、前記支持部材に対して回転可能に保持された回転軸の前記支持部材に対する回転量を検出することが好ましい。
【００２６】
また、前記ベースと共に前記被切断材を支持し回転支点を中心として前記ベースに対して回転可能なターンテーブルを備え、前記支持部材は、前記ベース上面を含む平面上に前記ベース上面に平行に配置され前記ターンテーブルに連結された傾動回転支点を傾動の軸心として前記ターンテーブルを介して前記ベースに連結され、前記傾動回転支点を支点として前記ベースに対して傾動可能であることが好ましい。
【００２７】
また、前記デジタル表示手段は、前記被切断材が載置される前半分と前記被切断材が載置されない後半分とに前記回転支点を境として前記ベースを分けたときに前記ベースの前記前半分の所定位置に相当する前記ターンテーブルの位置に配置されていることが好ましい。
【００２８】
また、前記デジタル表示手段はデジタル表示面を備え、前記デジタル表示面は鉛直方向に対して傾斜して設けられ、前記デジタル表示面の法線は、略前記ベースの前記後半分から前記前半分へ向う方向であって上方へ指向していることが好ましい。
【発明の効果】
【００２９】
請求項１、請求項１２記載の卓上丸鋸によれば、表示手段は、ターンテーブルに設けられ、ターンテーブルは外方に突出する首部と、当該首部から更に外方に設けられたハンドル部とを有し、表示手段は首部に設けられると共に、被切断材載置面よりも下方に配置されるため、卓上丸鋸によって切断される被切断材によって表示手段が隠れて視認不能となることを防止することができる。
【００３０】
請求項２、請求項１４記載の卓上丸鋸によれば、支持部材は、ベース上面を含む平面上にベース上面に平行に配置され該ターンテーブルに連結された傾動回転支点を傾動の軸心としてターンテーブルを介してベースに連結されているため、ターンテーブルにより所定の回動角度とした状態で、支持部材を傾動させて丸鋸刃を傾動させることができる。
【００３２】
請求項４記載の卓上丸鋸によれば、傾動角度を検出し傾動角度の信号を出力する傾動角度検出手段を備え、制御手段は傾動角度検出手段の出力信号に基づいてデジタル表示手段に傾動表示角度を表示させるため、デジタル表示手段において回動角度と傾動角度との両方を視認することができる。
【００３３】
請求項５記載の卓上丸鋸によれば、デジタル表示手段は、傾動表示角度及び回動表示角度を１列に表示可能なデジタル表示面を有しているため、デジタル表示手段の小型化を図ることができる。
【００３４】
請求項６記載の卓上丸鋸によれば、デジタル表示手段はユニット構成であり、デジタル表示面に表示されている２つの数値のうちの一方は傾動角度、他方は回動角度であることが分かるように、デジタル表示面近傍の外枠の傾動表示角度部分に対応する箇所、デジタル表示面近傍の外枠の回動角度部分に対応する箇所に、それぞれ傾斜マーク、回動マークが記載されているため、デジタル表示面にこれらのマークを表示させずに済み、デジタル表示手段の小型化を図ることができる。
【００３５】
請求項９、請求項１０、請求項１５記載の卓上丸鋸によれば、デジタル表示手段は、ベースの前半分の所定位置に相当する前記ターンテーブルの位置に配置されているため、デジタル表示手段が被切断材やベースに設けられるフェンス等によって隠れてしまい視認不能となることを防止することができる。
【００３６】
請求項１１、請求項１６記載の卓上丸鋸によれば、デジタル表示手段はデジタル表示面を備え、デジタル表示面は鉛直方向に対して傾斜して設けられ、デジタル表示面の法線は、略ベースの後半分から前半分へ向う方向であって上方へ指向しているため、デジタル表示面に表示されている数値の視認性をより高めることができる。
【発明を実施するための最良の形態】
【００３７】
本発明の一実施の形態による卓上丸鋸を図１乃至図１０を参照しながら説明する。なお、図１は本発明卓上丸鋸の一実施形態を示す側面図、図２は本発明卓上丸鋸の一実施形態を示す上面図、図３はＡ−Ａ線断面図、図４はＢ部拡大図、図５はＣ部拡大図、図６はＤ部拡大図である。
【００３８】
卓上丸鋸１は、図１に示されるように丸鋸刃１０１を有する丸鋸部１００とベース２００とターンテーブル３００と支持部材４００とを備える。丸鋸刃１０１は、丸鋸部１００の回転軸１００Ａによって回転可能に支持されており、丸鋸部１００は、丸鋸部１００の回転軸１００Ａとほぼ平行に延びる揺動軸１００Ｂを介して支持部材４００により揺動可能に支持されている。支持部材４００は、ターンテーブル３００に固定されベース２００上面を含む平面上にベース２００上面に平行に配置された回転軸３０１を中心として回動可能に支承されている。なお、回転軸３０１は傾動回転支点に相当する。
【００３９】
ベース２００、ターンテーブル３００の上面は、それぞれ水平であり互いに面一となっており、被切断材を載置可能な被切断載置面をなす。ベース２００には回動支持部２０１が固定されており、ターンテーブル３００を回動可能に支持する。ターンテーブル３００には、ベース２００上面とほぼ直交する方向に延びた円筒形の回転支点３０２（図５）が、ターンテーブル３００と一体回転可能に固定されており、ターンテーブル３００は、回転支点３０２を中心としてその上面がベース２００上面と面一の状態で回転可能である。ターンテーブル３００には回動操作用のハンドル３０３が設けられており、卓上丸鋸１の操作者がハンドル３０３を握ってターンテーブル３００を回転させることができるように構成されている。また、ベース２００には台部２０２が設けられている。
【００４０】
ターンテーブル３００にはロックレバー３０４が設けられている。一方、回動支持部２０１には、ターンテーブル３００の複数の所定の回動角度に対応して溝部２０１ａ（図７、図９）が形成されている。ロックレバー３０４には係合部３０４Ａ（図９）が設けられており、係合部３０４Ａは溝部２０１ａに係合可能である。ロックレバー３０４は、自身の弾性力によって図１の上方へ付勢されており、ロックレバー３０４を下方向に押下げることにより、溝部２０１ａと係合部３０４Ａとの係合が解除され、ターンテーブル３００の回動操作が可能となる。
【００４１】
複数の溝部２０１ａは、図７に示されるように、ターンテーブル３００の周方向に７．５°間隔で形成されており、比較的使用頻度の高い１５°、３０°、４５°等の回動角度でターンテーブル３００を容易に回転規制することができるように構成されている。
【００４２】
また、ターンテーブル３００の上面には、図７に示されるように、一対のボルト３０５、３０５が設けられている。一方、支持部材４００には、一対の傾動ガイド４０１が設けられており、ターンテーブル３００に対して支持部材４００が所定の角度に傾動された時に、傾動ガイド４０１がボルト３０５の頭部と当接し、当該所定の傾動角度までしか傾動しないように構成されている。
【００４３】
ベース２００には、図１に示されるように、フェンス２０３が固定されている。フェンス２０３は、ベース２００上面及びターンテーブル３００上面に載置される被切断材の側面の位置を固定する当接面２０３Ａを有しており、当接面２０３Ａは反支持部材４００側、即ち、図１の右側に相当するフェンス２０３の前側に設けられている。フェンス２０３は、ターンテーブル３００の回転支点３０２（図５）を通るようにターンテーブル３００を跨いで設置されている。
【００４４】
ターンテーブル３００には、回動角度位置検出手段としてのリミットスイッチ３０８が設けられており、ベース２００に対してターンテーブル３００が、前述の７．５°間隔の所定の回動角度位置に回動したことを検出する。また、ターンテーブル３００には、傾動角度位置検出手段としてのリミットスイッチ３０６、３０７（図７）が設けられており、ベース２００上面に対して丸鋸刃１０１側面が所定の傾動角度位置に傾動したことを検出する。詳細には、ターンテーブル３００に回転可能に連結した支持部材４００の回転位置を規制するために設けられた傾動ガイド４０１が、図７、図８に示されるように、ボルト３０５の頭部と当接した状態にあることを検出する。
【００４５】
また、ターンテーブル３００には、図４に示されるように、傾動角度検出手段であるポテンショメータ３０９が設けられている。ポテンショメータ３０９は、防塵、絶縁のため保護ボックス３１０で覆われており、ターンテーブル３００に固定された円筒形軸３１１の一端に配置されている。ポテンショメータ３０９は回転軸を有しており、回転軸の一端は、接続アダプタ４０２を介して支持部材４００に固定されている。
【００４６】
ターンテーブル３００に対して支持部材４００が円筒形軸３１１を中心として回転したときにポテンショメータ３０９の回転軸がターンテーブル３００に対して相対回転し、後述のマイコン５０１に入力されるポテンショメータ３０９の出力の電圧値が線形で変化するように構成されている。このように電圧値が線形に変化することにより、ポテンショメータ３０９はターンテーブル３００に対する支持部材４００の回転量を検出可能である。
【００４７】
また、ターンテーブル３００には、図５に示されるように、回動角度検出手段であるポテンショメータ３１２が設けられている。ポテンショメータ３１２は、防塵、絶縁のため保護ボックス３１３で覆われており、ターンテーブル３００の円筒形回転支点３０２の中心位置に配置されている。ポテンショメータ３１２は回転軸を有しており、回転軸の一端は、接続アダプタ２０４を介してベース２００に固定されている。
【００４８】
ベース２００上において、ベース２００に対してターンテーブル３００が回転支点３０２を中心に回転したときに、それに伴いポテンショメータ３１２が回転し、後述のマイコン５０１に入力されるポテンショメータ３１２の出力の電圧値が線形で変化するよう構成されている。このように電圧値が線形に変化することにより、ポテンショメータ３１２はベース２００に対するターンテーブル３００の回転量を検出可能である。
【００４９】
また、ターンテーブル３００には、図２に示されるように、角度の演算手段等の機能を有し制御手段であるマイコン５０１がマイコンボックス５０２内に収納されて設けられている。また、ターンテーブル３００には角度データを記憶しＥＥＰＲＯＭ等からなる記憶手段５０３と、液晶等の表示手段６００とが設けられている。一方、丸鋸部１００には、図１に示されるように、丸鋸刃１０１をベース２００及びターンテーブル３００上面に対して傾動させる際に丸鋸部１００を作業者の手で保持可能な操作ハンドル１０２が設けられており、操作ハンドル１０２内には、表示手段６００、マイコン５０１、記憶手段５０３を動作させるための電源５０４が、これらに電気的に配線されて設けられている。
【００５０】
マイコン５０１は、回動角度位置検出手段、傾動角度位置検出手段であるリミットスイッチ３０６、３０７、３０８から信号を入力可能であり、夫々の信号に基づいて傾動、及び回動角度を演算し、表示手段６００に対し信号を出力し表示手段６００に傾動表示角度、及び回動表示角度を表示させることができるように構成されている。記憶手段５０３は、マイコン５０１の傾動角度及び回動角度の演算結果を記憶するように構成されている。
【００５１】
表示手段６００はユニット構成となっており、図２に示されるように、傾動角度と回動角度とを１列に表示する表示面６０１を有する。表示手段６００は、ターンテーブル３００上であってターンテーブル３００の外方に突出する操作ハンドル３０３とターンテーブル３００の回転支点３０２（図１、図５）との間の位置に設けられており、被切断材の載置面であるターンテーブル３００の上面よりも上方に突出しないように被切断載置面たるベース２００、ターンテーブル３００の上面よりも下方に配置されている。この構成によりターンテーブル３００の回動操作時に、容易に表示手段６００を確認することができる。
【００５２】
また、表示手段６００の上部は、着脱可能な透明カバー６０２により構成されており、透明カバー６０２の上面は、ベース２００、ターンテーブル３００の上面に対して前面操作側位置（図１、図３右側）に約１５度下方へ傾向いている。このため、作業時の視認性向上を図ることができ、また、表示手段６００の傷付き防止、及び材料を切断した際の切粉の堆積防止を図ることができる。
【００５３】
表示手段６００の表示面６０１近傍の外枠には、図２に示されるように、傾動角度の表示部分に対応する箇所、回動角度の表示部分に対応する箇所にそれぞれ傾斜マーク（ＭＩＴＥＲ）、回動マーク（ＢＥＶＥＬ）が記載されている。このため表示面６０１上に表示された傾動角度、回動角度の２種類の角度を区別するために、表示面６０１上にこれらの表示を行う必要性をなくし、傾動角度の値、回動角度の値のみを１列に表示させて、表示手段６００を小型化することができるように構成されている。
【００５４】
また、表示手段６００外枠上であって表示面６０１の近傍には、図２に示されるように、リセットスイッチたる２つのリセットボタン６０３、６０４が設けられており、表示手段６００に表示されている角度である傾動角度と回動角度とを、それぞれ別個独立にリセットできるように構成されている。リセットボタン６０３、６０４が押圧されてオンになると、制御手段たるマイコン５０１にリセット信号が出力され、マイコン５０１は、リセットボタン６０３、６０４がオンにされたときに傾動表示角度、回動表示角度をそれぞれ０°とすることができるように構成されている。
【００５５】
次に、図７及び図８を用いて卓上丸鋸１の傾動状態を説明する。なお、図７はベース２００上面に対する丸鋸刃１０１側面の角度が直角に位置する状態を示し、図８は支持部材４００がターンテーブル３００に対して最も傾斜し、ベース２００上面に対する丸鋸刃１０１側面の角度が４５°となった状態を示す。
【００５６】
図７においては、係合部３０４Ａは溝部２０１ａに保持されており、ターンテーブル３００の回動は規制されている。このようにターンテーブル３００が規制されている状態で、ベース２００上面に対する丸鋸刃１０１（図１）側面の角度が鋭角の状態からベース２００上面に対して丸鋸刃１０１の側面を傾動させてゆき、図７に示されるように、ベース２００上面に対する丸鋸刃１０１（図１）側面の角度が直角の状態となったときに、係合部４０１とボルト３０５とが互いに当接する。このとき係合部４０１によってリミットスイッチ３０７がオンになる。係合部４０１とボルト３０５とが当接していないときには、リミットスイッチ３０７はオフとなる。
【００５７】
また、図７に示される状態から、ベース２００上面に対する丸鋸刃１０１側面の角度が鋭角となるように支持部材４００を傾動させてゆき、図８に示されるようにに、ベース２００上面に対する丸鋸刃１０１（図１）側面の角度が４５°となり、支持部材４００がターンテーブル３００に対して最も傾斜した状態となったときに、係合部４０１とボルト３０５とが当接する。このとき傾動ガイド４０１によってリミットスイッチ３０６がオンになる。係合部４０１とボルト３０５とが当接していないときには、リミットスイッチ３０６はオフとなる。
【００５８】
次に図９及び図１０を用いて卓上丸鋸１のターンテーブル３００の回動状態を説明する。なお、図９はロックレバー３０４の係合部３０４Ａがベース２００の回動支持部２０１の溝部２０１ａに係合しターンテーブル３００が回動不能となっている状態を示す。図１０はロックレバー３０４が図示下方に操作され係合部３０４Ａと溝部２０１ａとの係合が解除されターンテーブル３００が回動可能となっている状態を示す。
【００５９】
ロックレバー３０４が下方に押下げられている状態から、図９に示されるように、自身の弾性力によって図示上方に位置する状態となり、ロックレバー３０４に一体的に設けられた係合部３０４Ａが、ベース２００の回動支持部２０１に形成された複数の溝部２０１ａのうちのいずれかの溝部２０１ａ（図７及び図８）に係合したときに、リミットスイッチ３０８はオンとなる。この状態からロックレバー３０４が下方へ押下げられ、図１０に示されるように、係合部３０４Ａと溝部２０１ａとの係合が解除されるとオフとなる。
【００６０】
ベース２００に対してターンテーブル３００を回動する際には、ハンドル３０３を把持しながら、把持した手によって図１０に示すようにロックレバー３０４を下方に操作し係合部３０４Ａと溝部２０１ａとの係合を解除し、その状態でハンドル３０３を持ちながらターンテーブル３００を任意の位置に回動させる。
【００６１】
また、操作ハンドル３０３を回転させることによって操作ハンドル３０３に設けたねじの推力によりベース２００とターンテーブル３００間に張力を与え、ターンテーブル３００を任意の回動角度で固定する。
【００６２】
なお、溝部２０１ａと係合部３０４Ａとが係合しない位置であっても、ターンテーブル３００の重力によってターンテーブル３００は容易に回動してしまうものではなく、溝部２０１ａと係合部３０４Ａとが係合していない回動位置であっても、十分に切断作業を行うことが可能である。
【００６３】
次に、卓上丸鋸１の傾動角度の表示方法について説明する。傾動位置センサとしてのリミットスイッチ３０６または３０７がオンになっていない場合には、マイコン５０１は、係合部４０１とボルト３０５とが互いに当接していないと判別し、傾動角度検出センサとしてのポテンショメータ３０９からの傾動角度に対応する電圧値データと、記憶手段５０３に予め記憶された傾動角度データとから傾動角度を演算し、表示手段６００に傾動角度を表示する。
【００６４】
リミットスイッチ３０６または３０７がオンになっている場合には、マイコン５０１は、係合部４０１とボルト３０５とが互いに当接していると判別し、記憶手段５０３に予め記憶された傾動角度データであって係合部４０１とボルト３０５が互いに当接した位置に対応する傾動角度データに基づき、表示手段６００に傾動角度を表示する。
【００６５】
次に、卓上丸鋸１の回動角度の表示方法について説明する。回動位置センサとしてのリミットスイッチ３０８がオンになっていない場合には、マイコン５０１は、係合部３０４Ａが所定の回動角度に対応する溝部２０１ａに保持されていないと判別し、回動角度検出センサとしてのポテンショメータ３１２からの回動角度に対応する電圧値データと、記憶手段５０３に予め記憶された回動角度データとから回動角度を算出し、表示手段６００に回動角度を表示する。
【００６６】
リミットスイッチ３０８がオンになっている場合には、マイコン５０１は、係合部３０４Ａが所定の回動角度に対応する溝部２０１ａに保持されていると判別し、回動角度検出センサとしてのポテンショメータ３１２からの電圧値データから、記憶手段５０３に予め記憶され複数の溝部２０１ａに対応する所定の回動角度データを算出し、表示手段６００に回動角度を表示する。
【００６７】
本発明による卓上丸鋸は、上述した実施の形態に限定されず、特許請求の範囲に記載した範囲で種々の変形や改良が可能である。例えば、本実施の形態では、表示手段６００をターンテーブル３００に設けた構成としたが、ベースに設けた構成としてもよい。具体的には表示手段６００′は、例えば図１１〜図１３に示されるように、ベース２００′の台部２０２′の前面に設けられている。表示手段６００′が設けられているこの位置は、被切断材が載置される前半分２００Ｂ′と被切断材が載置されない後半分２００Ａ′とに回転支点３０２′を境としてベース２００′を分けたときに、該前半分２００Ｂ′の部分となるベース２００′の所定位置である。
【００６８】
換言すれば、表示手段６００′が設けられている位置は、被切断材が当接する当接面２０３Ａ′を含む前半分２００Ｂ′と当接面２０３Ａ′を含まない後半分２００Ａ′とにフェンス２０３′を境としてベース２００′を分けたときに、ベース２００′の該前半分２００Ｂ′となる部分の所定位置である。この場合であっても、表示手段６００′は、ベース２００′及びターンテーブル３００′の上面よりも突出せず、ベース２００′及びターンテーブル３００′の上面よりも下方に位置している。
【００６９】
表示手段６００′の表示面６０１は鉛直方向に指向しておらす、従って、表示面６０１′の法線は水平方向に指向していない。表示面６０１′は、鉛直方向に対して傾斜して設けられており、表示面６０１の法線は、卓上丸鋸１′前方上方であって卓上丸鋸１′を操作する作業者の目の方向に略等しい方向へ指向するように、表示手段６００′が取り付けられているベース２００′の位置よりも上方に指向している。このため、表示手段６００′に表示された回動角度及び傾動角度の視認を容易とすることができる。
【００７０】
また、卓上丸鋸１は、支持部材４００の傾動機能と、ターンテーブル３００の回動機能とを有する構成であったが、いずれか一方のみを有していてもよい。また、支持部材４００の傾動機能は、片側方向にのみ傾動可能な構成、即ち、図７に示されるように、ベース２００に対して丸鋸刃１０１の側面が垂直になる状態から、図８に示されるように、図の左方向にのみ傾動する構成であったが、図７に示されるような垂直位置を基準として左右の両方向に傾動可能な構成としても良い。
【００７１】
また、支持部材４００が、ベース２００に対して丸鋸刃１０１の側面が垂直になっている状態であるときの支持部材４００の位置である垂直位置にあるときと、支持部材４００が４５°形動した最傾動位置にあるときとにのみ互いに当接するように係合部４０１、３０５を設けた構成としたが、直角位置と最傾動位置との間の位置、例えば、３３．９°等の特定の角度等の位置において係合可能な係合部を設けた構成としても良い。
【００７２】
具体的には、例えば、互いに係合可能な係合部としてのピン、ホルダを支持部材側、ターンテーブル側にそれぞれ設け、ピンがホルダに係合したときに、支持部材が傾動不能となるようにする。更に、係合部が係合した際に信号を出力する構成としてもよい。具体的には、例えば、当該ホルダ内にリミットスイッチを設け、当該ピンがホルダに係合したときに、リミットスイッチがオンになるようにする。
【００７３】
また、ベース２００上に回動可能なターンテーブル３００を設け、支持部材４００がターンテーブル３００を介してベース２００と連結した構成としたが、ターンテーブル３００を有さず、支持部材４００が直接ベース２００に連結される構成としても良い。
【００７４】
また、支持部材４００に丸鋸部１００が揺動可能に支持される構成としたが、支持部材を分割構成とし、揺動軸及び丸鋸部を支持する部分が、ターンテーブルあるいはベースと連結される部分に対してベース上面とほぼ平行にスライド可能な構成としても良い。
【００７５】
また、角度検出センサとしてポテンショメータ３０９、３１２を用いたが、これに限られるものではなく、例えば角度検出センサとして回転角をカウントする既知のロータリーエンコーダを用いてもよい。
【００７６】
また、制御手段たるマイコンは、表示手段に通常０．２度刻みで傾動表示角度を表示させるようにして、更に、０．２度の倍数ではない特定の角度、例えば、３３．９°等も表示できるようにすることが望ましい。同様に、マイコンは、表示手段に通常０．２度刻みで回動表示角度を表示させるようにして、更に、０．２度の倍数ではない特定の角度、例えば、２２．５度及び３５．３度も表示できるようにすることが望ましい。
【００７７】
また、表示手段は、表示面後方にバックライトを配置する構成とすることが望ましい。この構成とすることにより、暗い場所であっても回動角度や傾動角度を視認することができる。
【００７８】
また、傾動角度検出手段であるポテンショメータ３０９は、ターンテーブル３００に固定された円筒形軸３１１の一端に配置され、ポテンショメータ３０９の回転軸の一端は支持部材４００に固定され、ポテンショメータ３０９はターンテーブル３００上面、ベース２００上面に対する支持部材４００の回転量を検出可能であったが、ポテンショメータを支持部材４００に配置し、ポテンショメータの回転軸の一端をターンテーブル３００又はベース２００に固定して、支持部材４００に対するターンテーブル３００又はベース２００の回転量を検出する構成としてもよい。
【００７９】
また、回動角度検出手段であるポテンショメータ３１２は、ターンテーブル３００に固定されたの円筒形回転支点３０２の一端に配置され、ポテンショメータ３１２の回転軸の一端はベース２００に固定され、ポテンショメータ３１２はベース２００に対するターンテーブル３００の回転量を検出可能であったが、ポテンショメータをベース２００に配置し、ポテンショメータの回転軸の一端をターンテーブル３００に固定して、ターンテーブル３００に対するベース２００の回転量を検出する構成としてもよい。
【図面の簡単な説明】
【００８０】
【図１】本発明卓上丸鋸の一実施形態を示す側面図。
【図２】本発明卓上丸鋸の一実施形態を示す上面図。
【図３】図２に示す卓上丸鋸のＡ−Ａ断面図。
【図４】図３に示す卓上丸鋸のＢ部拡大図。
【図５】図３に示す卓上丸鋸のＣ部拡大図。
【図６】図３に示す卓上丸鋸のＤ部拡大図。
【図７】図１に示す卓上丸鋸の一動作状態を示す要部拡大右側面図。
【図８】図１に示す卓上丸鋸の他の動作状態を示す要部拡大右側面図。
【図９】図１に示す卓上丸鋸の一動作状態を示す要部拡大断面図。
【図１０】図１に示す卓上丸鋸の他の動作状態を示す要部拡大断面図。
【図１１】本実施の形態の変形例を示す斜視図。
【図１２】本実施の形態の変形例の一動作状態を示す右側面図。
【図１３】本実施の形態の変形例の他の動作状態を示す右側面図。
【符号の説明】
【００８１】
２２・・・回動角度位置検出手段  ３３、３４・・・傾動角度位置検出手段  ５０・・・マイコン  ６０・・・記憶手段、８２・・・傾動角度検出手段  ９２・・・回動角度検出手段  １００・・・表示手段
【図１】
0004820085.tif 000002
【図２】
0004820085.tif 000003
【図３】
0004820085.tif 000004
【図４】
0004820085.tif 000005
【図５】
0004820085.tif 000006
【図６】
0004820085.tif 000007
【図７】
0004820085.tif 000008
【図８】
0004820085.tif 000009
【図９】
0004820085.tif 000010
【図１０】
0004820085.tif 000011
【図１１】
0004820085.tif 000012
【図１２】
0004820085.tif 000013
【図１３】
0004820085.tif 000014